(57)【要約】【課題】携帯電話機へ接続し、簡単なボタン操作のみで入金処理が可能かつ、携帯電話機に接続した状態で自動販売装置との商品の購入が可能な電子通貨装置、および、電子通貨装置を使用した商品自動購入システムおよび方法の提供を課題とする。【解決手段】金融機関と提携した電子通貨運営機関と無線通信を行う携帯通信端末に接続し電子通貨運営機関と認証処理を行い受信した価値情報を記憶する電子通貨装置と、電子通貨装置と無線通信で商品の自動購入が可能な自動販売装置とで構成し、電子通貨装置は、購入した商品の代金を価値情報から減額する決済制御を行う非接触型ＩＣチップと、携帯通信端末からの制御信号によりＩＣチップと無線通信して価値情報の読み出し／書き込みを行う非接触型ＩＣチップリーダ／ライタとを有する。【選択図】　図１
2004145477.tif 000002
【特許請求の範囲】
【請求項１】
金融機関と提携した電子通貨運営機関と、
前記電子通貨運営機関と無線通信を行う携帯通信端末と、
前記携帯通信端末に接続して前記電子通貨運営機関と認証処理を行い価値情報を受信する電子通貨装置と、
前記電子通貨装置で商品の自動購入が可能な自動販売装置と
を有し、
前記携帯通信端末は、
前記電子通貨装置が保持する前記価値情報を表示する表示制御手段と、
前記携帯通信端末の操作により前記電子通貨装置を制御する制御手段と
を備え、
前記電子通貨装置は、
前記電子通貨運営機関から前記携帯通信端末を介して受信した前記価値情報を記憶する記憶手段を有するとともに、前記自動販売装置と無線通信して該自動販売装置で購入した商品の代金を前記記憶手段に記憶した価値情報から減額する決済制御を行う第１の装置と、
前記第１の装置と無線通信して前記記憶手段に対して前記価値情報の読み出し／書き込みを行うとともに、前記携帯通信端末と通信してデータの読み出し／書き込みを行う第２の装置と
を備え、
前記自動販売装置は、
前記電子通貨装置の第１の装置と無線通信する通信手段
を備えることを特徴とする電子通貨装置による商品自動購入システム。
【請求項２】
前記第１の装置は、
前記電子通貨運営機関から前記携帯通信端末を介して受信した前記価値情報により前記記憶手段に記憶した価値情報を再補充する再補充手段と、
前記携帯通信端末からの入力情報で個人認証を行う認証手段と、
前記電子通貨運営機関からの前記価値情報を暗号／復号化する暗号／復号化手段と
を更に具備することを特徴とする請求項１記載の電子通貨装置による商品自動購入システム。
【請求項３】
前記第１の装置は、
前記自動販売装置と通信を行うとともに前記第２の装置と通信を行う第１のアンテナと、
前記第１のアンテナで前記自動販売装置若しくは前記第２の装置から受信した受信信号に基づき電力を発生する電力発生手段と
を有し、
前記第２の装置は、
前記第１の装置の第１のアンテナを介して前記第１の装置と通信を行う第２のアンテナ
を有することを特徴とする請求項１記載の電子通貨装置による商品自動購入システム。
【請求項４】
前記第１の装置は、
前記自動販売装置からの商品購入に際して該自動販売装置からポイント情報を受信して蓄積するポイント情報蓄積手段
を具備し、
前記ポイント情報蓄積手段に蓄積されたポイント情報を前記第２の装置により読み出して、該読み出したポイント情報を前記携帯通信端末の操作により所要のポイント情報管理処理装置に送信することを特徴とする請求項１記載の電子通貨装置による商品自動購入システム。
【請求項５】
携帯通信端末に着脱自在に接続される電子通貨装置を使用して自動販売装置から商品を購入する電子通貨装置による商品自動購入方法において、
前記携帯通信端末の操作により金融機関と提携した電子通貨運営機関から価値情報を受信し、
該受信した価値情報を該携帯通信端末に接続される前記電子通貨装置の記憶手段に書き込むことで、前記電子通貨装置に価値情報を付加し、
その後、前記自動販売装置で前記電子通貨装置での商品購入を選択して希望商品を決定し、
前記自動販売装置と前記電子通貨装置との間で通信を行うことにより前記電子通貨装置の価値情報から前記商品購入の対価を減算する決済処理を行う
ことを特徴とする電子通貨装置による商品自動購入方法。
【請求項６】
前記電子通貨装置は、
前記電子通貨運営機関から前記携帯通信端末を介して受信した前記価値情報を記憶する記憶手段を有するとともに、前記自動販売装置と無線通信して該自動販売装置で購入した商品の代金を前記記憶手段に記憶した価値情報から減額する決済制御を行う第１の装置と、
前記第１の装置と無線通信して前記記憶手段に対して前記価値情報の読み出し／書き込みを行うとともに、前記携帯通信端末と通信してデータの読み出し／書き込みを行う第２の装置と
を備え、
前記電子通貨装置と前記自動販売装置との間の通信および前記第１の装置と第２の装置との間の通信は非接触で行うことを特徴とする請求項５記載の電子通貨装置による商品自動購入方法。
【請求項７】
携帯通信端末に着脱自在に接続され、自動販売装置からの商品の購入に用いられる電子通貨装置において、
電子通貨運営機関から携帯通信端末を介して受信した価値情報を記憶する記憶手段を有するとともに、前記自動販売装置と無線通信して該自動販売装置で購入した商品の代金を前記記憶手段に記憶した価値情報から減額する決済制御を行う第１の装置と、
前記第１の装置と無線通信して前記記憶手段に対して前記価値情報の読み出し／書き込みを行うとともに、前記携帯通信端末と通信してデータの読み出し／書き込みを行う第２の装置と
を具備することを特徴とする電子通貨装置。
【請求項８】
前記第１の装置は、
前記自動販売装置と通信を行うとともに前記第２の装置と通信を行う第１のアンテナと、
前記第１のアンテナで前記自動販売機若しくは前記第２の装置から受信した受信信号に基づき電力を発生する電力発生手段と
を有し、
前記第２の装置は、
前記第１の装置の第１のアンテナを介して前記第１の装置と通信を行う第２のアンテナ
を有することを特徴とする請求項７記載の電子通貨装置。
【発明の詳細な説明】
【０００１】
【発明の属する技術分野】
本発明は、電子通貨装置を使用した商品自動購入システムおよび電子通貨装置による商品自動購入方法および電子通貨装置に関する。
【０００２】
【従来の技術】
キャッシュレスで商品を自動購入するための従来技術としては、特許文献１「自動販売機及びその商品販売システム」に記載されたものがある。
【０００３】
この特許文献１記載の「自動販売機及びその商品販売システム」は、自動販売機と携帯端末との間で通信し商品を販売できるようにするシステムであり、携帯電話および自動販売機は、双方向通信を行うための近距離無線通信部をそれぞれ内蔵し、携帯電話を携行した利用者が、徒歩、自転車、車等で自動販売機と携帯電話とが特定距離（１０ｍ程度）まで近づくと、携帯電話の近距離無線通信部は、自動販売機の近距離無線通信部から商品に関する情報を受信する。
【０００４】
このとき、携帯電話は、表示部に商品に関する情報を表示するとともに、利用者に表示部上の情報を確認するための注意（音、振動等）を促す。その後、携帯電話の無線通信制御部は、利用者の携帯電話の操作に従って、自動販売機の近距離無線通信部に希望商品を販売要求するための情報を送信する。
【０００５】
また、携帯電話には、利用者の口座情報を記憶したＩＣカードが着脱可能な読み取り装置を備え、自動販売機は、商品を販売した利用者の口座情報と金額情報を記憶部に記憶し、月単位（週単位、日単位）で金融機関と通信接続して必要金額を請求する。
【０００６】
また、キャッシュレスで商品を自動購入するための第２の従来技術としては、特許文献２「情報処理システム」に記載されたものがある。
【０００７】
この特許文献２記載の「情報処理システム」は、利用者が、自動販売機から物品の購入を行う際、ＩＣカードが挿入された携帯電話機を用いて、自動販売機に物品の購入要求を行い、利用者が自動販売機に対して物品の選択を行うと、その物品の代金が携帯電話機に送信され、利用者がその代金を了解すると携帯電話機では、未決済情報をＩＣカードに記録し、自動販売機では選択された物品が引き渡され、ＩＣカードから読み出された取引銀行情報をもとにして特定した取引銀行に対し、取引情報を送信し、取引銀行では、所定の決済処理を行い、その処理が完了すると、電話回線網、無線基地局を介して携帯電話機に対し取引完了情報が送信され、ＩＣカードにすでに記録されている未決済情報が取引完了情報に変更されるものである。
【０００８】
また、キャッシュレスで商品を自動購入するための第３の従来技術としては、特許文献３「携帯電話装置及び電子マネーリチャージシステム」に記載されたものがある。
【０００９】
この特許文献３記載の「携帯電話装置及び電子マネーリチャージシステム」は、多くの利用者が簡単に自身のＩＣカードに価値情報をリチャージし買い物などに利用できるようにするものである。
【００１０】
携帯電話機にＩＣカードを接続可能にし、携帯電話機はＩＣカードが接続され、銀行センタ宛の発信操作を検出するとセンタへの発信を行い、センタがこの発信に対し応答すると、入力された銀行の口座番号及び暗証番号をセンタへ送信するとともに、送信した各番号に対しセンタによる認証を確認すると、入力された価値情報をセンタへ送信する一方、送信した口座番号に対応する口座に前記入力された価値情報相当分の残高がセンタにより確認されセンタから前記価値情報相当分の価値情報がロードされるとこの価値情報をＩＣカードにリチャージする。その後、確認操作を検出すると確認信号をセンタに送信し、前記口座番号に対応する口座から価値情報を引き落とす。
【００１１】
また、キャッシュレスで商品を自動購入するための第４の従来技術としては、特許文献４「カード処理アダプタ、カード情報利用システムおよび記録媒体」に記載されたものがある。
【００１２】
この特許文献４記載の「カード情報処理アダプタ、カード情報利用システムおよび記録媒体」は、カードに記録された情報を小型・軽量な通信端末を用いて安全に伝送するためのカード情報処理アダプタや、カード情報利用システムである。
【００１３】
携帯端末に着脱可能に接続され携帯端末と一体をなすＩＣカード処理アダプタが、カード番号等をカードより取得する。操作者が携帯端末を操作して決済金額や暗証番号を入力すると、ＩＣカード処理アダプタはこの暗証番号を検証し、正当であると確認すると、カード番号、有効期限、決済金額を携帯端末に送って決済センタへと送信させる。決済センタは、携帯端末の電話番号が登録済みであることを確認すると、カード番号等を受信し、カード番号が正当であると確認すると、取引終了を、携帯端末を介してＩＣカード処理アダプタへと通知する。
【００１４】
【特許文献１】
特開２００２−１０９６１８号公報。
【００１５】
【特許文献２】
特開平０８−８７６５５号公報。
【００１６】
【特許文献３】
特開２０００−２２２４９８号公報。
【００１７】
【特許文献４】
特開２００１−３１３７１４号公報。
【００１８】
【発明が解決しようとする課題】
しかしながら、特許文献１記載の「自動販売機及びその商品販売システム」は、ＩＣカードを携帯電話のＩＣカード読み取り専用のアダプタに装着し、ＩＣカードに記憶した金融機関の口座番号情報、あるいはクレジットカードの番号を記憶するための手段であり、決済処理は自動販売機側で実施するため、取引状況や履歴を利用者が簡単に把握しづらいという問題が生じる。
【００１９】
また、特許文献２記載の「情報処理システム」は、決済に必要な情報をＩＣカードに書き込みつつ、商品購入時に金融機関に携帯電話で接続して決済を実施するが、決済は銀行口座と購入した商品金額情報との情報を基に、金融機関側での決済のため、自動販売機側は、未決済の状態で商品を払い出す状況が発生する。
【００２０】
また、特許文献３記載の「携帯電話装置及び電子マネーリチャージシステム」
は、ＩＣカードに対して携帯電話機に内蔵の非接触型ＩＣリーダを制御してリチャージし買い物などに利用できるようにするが、ＩＣカードを所有するユーザでも、ＩＣカードリーダを有さない旧機種の携帯電話機所有者は、ＩＣカードリーダ内蔵の携帯電話機を新規に購入する等して入手しなければならないという問題がある。
【００２１】
また、特許文献４記載の「カード情報処理アダプタ、カード情報利用システム及び記録媒体」は、特許文献３と同様に携帯端末の構成に、ＩＣカード処理アダプタが内蔵されていることが必須となるため、ＩＣカードリーダ内蔵の携帯端末に買い換えなければ実施できない。
【００２２】
また、商品購入時は、携帯端末のＩＣカードアダプタからＩＣカードを引き抜いて使用する必要があり、商品の購入と同時に決済を行うことが困難である。
【００２３】
そこで、本発明は、携帯電話機へ接続し、簡単なボタン操作で入金処理が可能でかつ、携帯電話機に接続した状態で自動販売装置との商品の購入が可能な電子通貨装置、電子通貨装置を使用した商品自動購入システムおよび商品自動購入方法を提供することを目的とする。
【００２４】
【課題を解決するための手段】
上記目的を達成するべく、請求項１の発明は、金融機関と提携した電子通貨運営機関と、電子通貨運営機関と無線通信を行う携帯通信端末と、携帯通信端末に接続して電子通貨運営機関と認証処理を行い価値情報を受信する電子通貨装置と、電子通貨装置で商品の自動購入が可能な自動販売装置とを有する電子通貨装置による商品自動購入システムであり、携帯通信端末は、電子通貨装置が保持する価値情報を表示する表示制御手段と、携帯通信端末の操作により電子通貨装置を制御する制御手段とを備え、電子通貨装置は、電子通貨運営機関から携帯通信端末を介して受信した価値情報を記憶する記憶手段を有するとともに、自動販売装置と無線通信して自動販売装置で購入した商品の代金を記憶手段に記憶した価値情報から減額する決済制御を行う第１の装置と、第１の装置と無線通信して記憶手段に対して価値情報の読み出し／書き込みを行うとともに、携帯通信端末と通信してデータの読み出し／書き込みを行う第２の装置とを備え、自動販売装置は、電子通貨装置の第１の装置と無線通信する通信手段を備えることを特徴とする。
【００２５】
また、請求項２の発明は、請求項１の発明において、第１の装置は、電子通貨運営機関から携帯通信端末を介して受信した価値情報により記憶手段に記憶した価値情報を再補充する再補充手段と、携帯通信端末からの入力情報で個人認証を行う認証手段と、電子通貨運営機関からの価値情報を暗号／復号化する暗号／復号化手段とを更に具備することを特徴とする。
【００２６】
また、請求項３の発明は、請求項１の発明において、第１の装置は、自動販売装置と通信を行うとともに第２の装置と通信を行う第１のアンテナと、第１のアンテナで自動販売装置若しくは第２の装置から受信した受信信号に基づき電力を発生する電力発生手段とを有し、第２の装置は、第１の装置の第１のアンテナを介して第１の装置と通信を行う第２のアンテナを有することを特徴とする。
【００２７】
また、請求項４の発明は、請求項１の発明において、
第１の装置は、自動販売装置からの商品購入に際して自動販売装置からポイント情報を受信して蓄積するポイント情報蓄積手段を具備し、ポイント情報蓄積手段に蓄積されたポイント情報を第２の装置により読み出して、読み出したポイント情報を携帯通信端末の操作により所要のポイント情報管理処理装置に送信することを特徴とする。
【００２８】
また、請求項５の発明は、電子通貨装置による商品自動購入方法であり、携帯通信端末に着脱自在に接続される電子通貨装置を使用して自動販売装置から商品を購入する電子通貨装置による商品自動購入方法において、携帯通信端末の操作により金融機関と提携した電子通貨運営機関から価値情報を受信し、受信した価値情報を携帯通信端末に接続される電子通貨装置の記憶手段に書き込むことで、電子通貨装置に価値情報を付加し、その後、自動販売装置で電子通貨装置での商品購入を選択して希望商品を決定し、自動販売装置と電子通貨装置との間で通信を行うことにより電子通貨装置の価値情報から商品購入の対価を減算する決済処理を行うことを特徴とする。
【００２９】
また、請求項６の発明は、請求項５の発明において、電子通貨装置は、電子通貨運営機関から携帯通信端末を介して受信した価値情報を記憶する記憶手段を有するとともに、自動販売装置と無線通信して自動販売装置で購入した商品の代金を記憶手段に記憶した価値情報から減額する決済制御を行う第１の装置と、第１の装置と無線通信して記憶手段に対して価値情報の読み出し／書き込みを行うとともに、携帯通信端末と通信してデータの読み出し／書き込みを行う第２の装置とを備え、電子通貨装置と自動販売装置との間の通信および第１の装置と第２の装置との間の通信は非接触で行うことを特徴とする。
【００３０】
また、請求項７の発明は、携帯通信端末に着脱自在に接続され、自動販売装置からの商品の購入に用いられる電子通貨装置であり、電子通貨運営機関から携帯通信端末を介して受信した価値情報を記憶する記憶手段を有するとともに、自動販売装置と無線通信して自動販売装置で購入した商品の代金を記憶手段に記憶した価値情報から減額する決済制御を行う第１の装置と、第１の装置と無線通信して記憶手段に対して価値情報の読み出し／書き込みを行うとともに、携帯通信端末と通信してデータの読み出し／書き込みを行う第２の装置とを具備することを特徴とする。
【００３１】
また、請求項８の発明は、請求項７の発明において、第１の装置は、自動販売装置と通信を行うとともに第２の装置と通信を行う第１のアンテナと、第１のアンテナで自動販売装置若しくは第２の装置から受信した受信信号に基づき電力を発生する電力発生手段とを有し、第２の装置は、第１の装置の第１のアンテナを介して第１の装置と通信を行う第２のアンテナを有することを特徴とする。
【００３２】
【発明の実施の形態】
以下、一実施例を示す図面に基づいて、本発明を詳細に説明する。
【００３３】
図１は、この発明に係る電子通貨装置７による商品自動購入システムのシステム構成図である。
【００３４】
この商品自動購入システムは、金融機関４２と、金融機関４２と提携した電子通貨運営機関１と、電子通貨運営機関１と無線通信を行う携帯電話機４と、携帯電話機４に接続して電子通貨運営機関１と認証処理を行い価値情報を受信する電子通貨装置７と、従来の現金による商品およびサービスの自動購入に加えて電子通貨装置７で商品の自動購入が可能な自動販売装置１０とその販売業者２とにより構成される。
【００３５】
金融機関４２、電子通貨運営機関１、販売業者２は、ネットワーク接続により相互の通信を可能とする。
【００３６】
電子通貨運営機関１は、ユーザ４３の預金口座あるいはクレジットカードの情報を運営管理する金融機関４２と提携し、加入したユーザ４３が所有する携帯電話機４と通信回線および携帯電話通信網３を介して通話およびデータ通信が可能な構成となっている。
【００３７】
携帯電話機４は、従来の携帯電話機の機能に加えて、外部接続端子に電子通貨装置７を接続し、電子通貨装置７が保持する価値情報を表示する表示部５と、ユーザ４３が携帯電話機４の操作で電子通貨装置７を制御する為のボタン操作部６とを備える。
【００３８】
電子通貨装置７は、携帯電話機４に着脱可能で、電子通貨運営機関１から携帯電話機４を介して受信した価値情報を補充して再記憶するリチャージ機能と、携帯電話機４からのパスワード入力等で個人認証を行う認証機能と、価値情報等のデータを電子通貨運営機関１との間で送受信する際に暗号／復号化する暗号化機能と、自動販売装置１０で購入した商品の代金を価値情報から減額して計算する決済機能とを有する非接触型ＩＣチップ９と、非接触型ＩＣチップ９に対して価値情報の読み出し／書き込みおよび携帯電話機４とのデータ通信を行う非接触型ＩＣリーダ／ライタ８とを具備する。
【００３９】
自動販売装置１０は、従来の自動販売装置１０の構成である、商品サンプル陳列部１１、商品選択ボタン１２、商品取り出し口１３、現金投入口１４の構成に加えて、電子通貨装置７での商品購入を指定するためのモバイル購入ボタン１３、電子通貨装置７の非接触型ＩＣチップ９に対して書き込みおよび、読み出しを行う自動販売装置側非接触型ＩＣチップリーダ／ライタ１５を内蔵している。
【００４０】
ユーザ４３は、価値情報をチャージした電子通貨装置７を携帯電話機４に接続し、自動販売装置１０の自動販売装置側ＩＣチップリーダ／ライタ１５の近傍に近づけ、携帯電話機４の簡単なボタン操作を行うことで、希望する商品の代金を自動販売装置１０あるいは販売業者２との間で電子決済して商品を購入する。
【００４１】
自動販売装置１０を取り扱う販売業者２は、電子通貨装置７を使用して販売した商品の価値情報を集計して金融機関４２に請求することで清算を行う。
【００４２】
次に、電子通貨装置７の内部における非接触型ＩＣチップ９と非接触型ＩＣチップリーダ／ライタ８との間における電力、データ通信を無線で行う内部構造について説明する。
【００４３】
図２は、電子通貨装置７内部における非接触型ＩＣチップ９の非接触型ＩＣチップ側アンテナコイル３５と非接触型ＩＣチップリーダ／ライタ８のリーダ／ライタ側アンテナコイル３４の構成を模式的に示した概略図である。
【００４４】
非接触型ＩＣチップリーダ／ライタ８は、携帯電話機４から電力、制御信号、データ信号を受信すると、リーダ／ライタ側アンテナコイル３４に磁界を発生させる制御をおこない非接触型ＩＣチップ９に電力およびデータ信号を送信する。
【００４５】
一方、非接触型ＩＣチップ９は、ＩＣチップ側アンテナコイル３５付近の磁界の変化による誘導起電力を稼動電圧として使用し、無線によるデータの送受信を行う。
【００４６】
次に、商品自動購入システムの構成要素となる携帯電話機４、電子通貨装置７、自動販売装置１０の制御構成について説明する。
【００４７】
図３は、この発明に係る携帯電話機４、電子通貨装置７、自動販売装置１０の制御構成を示すブロック図である。
【００４８】
携帯電話機４は、表示部５、表示制御部２０、電子通貨装置制御プログラム２３、記憶部２４、電源部１８、携帯電話機制御部２１、外部装置接続部２５、通信制御部２２、入力インタフェース２６、操作部２７、通話装置部１９、アンテナ２８により構成される。
【００４９】
表示部５は、表示制御部２０を介して携帯電話機制御部２１に接続し、受信した画像、操作メニュー、メッセージ、および電子通貨装置７の内容を表示する。
【００５０】
記憶部２４は、携帯電話機４の各種プログラムやメールや電話帳を初め、電子通貨装置７を接続して制御する電子通貨装置制御プログラム２３等を記憶する。
【００５１】
電源部１８は、着脱可能で充電可能な電池パック等に相当し、携帯電話機４に対して給電を行う。
【００５２】
携帯電話機制御部２１は、携帯電話機４の各制御ブロックに接続して携帯電話機４全体を制御する。
【００５３】
外部装置接続部２５は、電子通貨装置７を初めとする外部装置と接続してデータや電力を送受するためのインタフェースである。
【００５４】
通信制御部２２は、アンテナ２８を介して携帯電話通信網３およびそれに接続されたネットワーク上の各種装置との通信を行う。
【００５５】
操作部２７は、ボタンやジョグダイヤル等に相当し、入力インタフェース２６を介して携帯電話機制御部２１に接続されユーザ４３が携帯電話機４に対してデータ入力を行うための手段である。
【００５６】
通話装置部１９は、携帯電話機４での通話を行うマイクやスピーカである。
【００５７】
また、電子通貨装置７は、非接触型ＩＣチップ９と、非接触型ＩＣチップリーダ／ライタ８とで構成され、非接触型ＩＣチップ９は、ＩＣチップ制御部３０と、価値情報記憶部３１と、暗号化／復号化部３２と、アンテナコイル制御部３３と、ＩＣチップ側アンテナコイル３５と、電力発生部４４とを含み、非接触ＩＣチップリーダ／ライタ８は、リーダ／ライタ側アンテナコイル３４を含んで構成される。
【００５８】
携帯電話機接続部２９は、非接触型ＩＣチップリーダ／ライタ８に接続し、携帯電話機４からの給電、携帯電話機４とのデータ送受を行う接続インタフェースである。
【００５９】
非接触型ＩＣチップリーダ／ライタ８は、非接触型ＩＣチップ９へのデータの読み出し、書き込み、給電を磁界による誘導起電力で送信するためのリーダ／ライタ側アンテナコイル３４を制御する。
【００６０】
非接触型ＩＣチップ９は、ＩＣチップ側アンテナコイル３５に発生する誘導起電力を電力発生部４４において稼動電圧に変換してＩＣチップ制御部３０を稼動し、アンテナコイル制御部３３を介して無線により通信を行う。
【００６１】
ＩＣチップ制御部３０は、電力発生部４４からの給電により稼動し、価値情報記憶部３１、暗号化／復号化部３２、アンテナコイル制御部３３に接続して非接触型ＩＣチップ９全体を制御する。
【００６２】
価値情報記憶部３１は、非接触型ＩＣチップ９のＯＳ、アプリケーションプログラム、電子通貨装置７としての処理に必要な価値情報、ポイント情報、暗号化／復号化処理に必要な秘密鍵、個人識別情報等を記憶する。
【００６３】
暗号化／復号化部３２は、送受信データに対して電子署名、暗号化／復号化処理を行ってセキュリティーを確保する。
【００６４】
ＩＣチップ側アンテナコイル３５は、アンテナコイル制御部３３に接続され非接触型ＩＣチップリーダ／ライタ８と無線によるデータ通信を行うアンテナである。
【００６５】
自動販売装置１０は、操作／表示部１７、自動販売装置制御部３６、自動販売装置側ＩＣチップリーダ／ライタ１５、自動販売装置側アンテナコイル３７、商品情報３９、販売管理情報４０、サービス情報４１を含む自動販売装置記憶部３８とにより構成される。
【００６６】
操作／表示部１７は、図１に示す商品サンプル陳列部１１、商品選択ボタン１２、モバイル購入ボタン１３、自動販売装置１０の利用者の操作を検出し、商品を購入処理の進捗状況やユーザ４３の操作を誘導するランプ等に該当する。
【００６７】
自動販売装置制御部３６は、操作表示部１７、自動販売装置側ＩＣチップリーダ／ライタ１５、自動販売装置記憶部３８に接続して自動販売装置１０全体を制御する。
【００６８】
自動販売装置側ＩＣチップリーダ／ライタ１５は、自動販売装置側アンテナコイル３７を含み、電子通貨装置７の非接触型ＩＣチップ９と一定の距離以下となった状態で、電子通貨装置７の非接触型ＩＣチップリーダ／ライタ８と同様、無線による通信を行う。
【００６９】
商品情報３９は、自動販売装置１０で取り扱う各商品の価格、識別情報等が記憶される。
【００７０】
販売管理情報４０は、販売した商品種別、販売時刻、販売種別（現金かモバイル販売か）、各商品の在庫数などを記憶管理する。
【００７１】
サービス情報４１には、商品販売時にユーザ４３の電子通貨装置７に送信するポイント数の計算式や、サービス対象商品の情報、販売管理業者のホームページをはじめとする広告情報等を記憶する。
【００７２】
次に、電子通貨装置７のリチャージ処理、電子通貨装置７と自動販売装置１０による商品自動購入処理の処理フローを図４、図５に示し、携帯電話機４の表示部５に表示される操作メニュー、メッセージの例を示す画面イメージを図６に示して説明する。
【００７３】
図４は、この発明に係る電子通貨装置７への入金処理を示すフローチャートである。
【００７４】
電子通貨装置７に補充されている価値情報のリチャージが必要な場合（ステップＳ１０１でＹＥＳ）、電子通貨装置７を携帯電話機４の外部接続部に接続する（ステップＳ１０２）。
【００７５】
電子通貨運営機関１から提供される電子通貨装置７の制御プログラムが、携帯電話機４の記憶部２４にインストールされていない場合（ステップＳ１０３でＮＯ）、関連サイトにアクセスして電子通貨装置７の制御プログラムをダウンロードする等してインストールする（ステップＳ１０４）。
【００７６】
携帯電話機４のボタン操作で電子通貨装置制御プログラム２３を起動し、電子通貨運営機関１にアクセスし（ステップＳ１０５）、電子通貨装置７に記憶されている識別情報や、パスワード入力等により本人認証を行い（ステップＳ１０６）、認証がＯＫの場合（ステップＳ１０７でＹＥＳ）、図６（ｅ）に示すような入力画面が表示され希望する価値情報を携帯電話機４から入力する（ステップＳ１０８）。
【００７７】
電子通貨運営機関１は、受信したリチャージ要求された価値情報と、ユーザ４３の預金口座の残高あるいは与信情報等を考慮してリチャージ可能と判断した場合（ステップＳ１０９でＹＥＳ）、要求した価値情報を電子通貨運営機関１から携帯電話機４を介して受信し（ステップＳ１１０）、電子通貨装置７の非接触型ＩＣチップリーダ／ライタ８により非接触型ＩＣチップ９のＩＣチップ記憶部２４にある既存の価値情報に加算して更新する（ステップＳ１１１）。
【００７８】
ステップＳ１０７の認証処理で否認されたり（ステップＳ１０７でＮＯ）、スッテプＳ１０９でリチャージが許可されない場合（ステップＳ１０９でＮＯ）は、処理を終了する。
【００７９】
図５は、この発明に係る電子通貨装置７を使用した自動販売装置１０からの商品購入迄の処理手順を示すフローチャートである。
【００８０】
電子通貨装置７を携帯電話機４に装着していない場合（ステップＳ２０１でＮＯ）、電子通貨装置７を携帯電話機４に装着する（ステップＳ２０２）。
【００８１】
自動販売装置１０のモバイル購入ボタン１３を押下し、電子通貨装置７での商品購入であることを自動販売装置１０に通知する（ステップＳ２０３）。
【００８２】
自動販売装置１０において希望商品を選択し（ステップＳ２０４）、携帯電話機４を装着した電子通貨装置７を自動販売装置１０の自動販売装置側ＩＣチップリーダ／ライタ１５の近傍にかざす（ステップＳ２０５）。
【００８３】
携帯電話機４のボタン操作あるいは、電子通貨装置７が自動販売装置１０の自動販売装置側ＩＣチップリーダ／ライタ１５からの信号受信をトリガとして電子通貨装置７の制御プログラムが起動し、電子通貨運営機関１に接続して電子通貨装置７の本人認証を行う（ステップＳ２０６）。
【００８４】
電子通貨運営機関１から認証された場合（ステップＳ２０７でＹＥＳ）、携帯電話機４の表示部５に図６（ｂ）に示すような商品購入の確認画面を表示する（ステップＳ２０８）。
【００８５】
電子通貨運営機関１から認証されない場合（ステップＳ２０７でＮＯ）、エラーメッセージを携帯電話機４の表示部５に表示して処理を終了する（ステップＳ２１６）。
【００８６】
ユーザ４３は、選択した商品を確認し携帯電話機４のボタン操作で商品の購入を決定する（ステップＳ２０９）。
【００８７】
ここで、購入を希望する商品の代金が電子通貨装置７の価値情報の残高を超過する場合（ステップＳ２１０でＮＯ）、図６（ａ）に示すような価値情報の残高不足によるエラーメッセージを携帯電話機４の表示部５に表示して処理を終了する（ステップＳ２１７）。
【００８８】
一方、購入を希望する商品の代金以上の価値情報が、電子通貨装置７に残っている場合（ステップＳ２１０でＹＥＳ）、自動販売装置側ＩＣチップリーダ／ライタ１５は、購入商品の代金に相当する仮決済の価値情報と、商品の代金を差し引かれた価値情報の残高を電子通貨装置７の非接触型ＩＣチップ９に書き込む（ステップＳ２１１）。
【００８９】
自動販売装置制御部３６は、販売した商品と商品代金の請求に必要となる自動販売装置側ＩＣチップリーダ／ライタ１５を介して読み取った電子通貨装置７のユーザ４３の識別情報等を自動販売装置記憶部３８の販売管理情報４０に登録する（ステップＳ２１２）。
【００９０】
自動販売装置１０の商品取り出し口１６へ商品を搬出し（ステップＳ２１３）、自動販売装置側ＩＣチップリーダ／ライタ１５は、ステップＳ２１１で処理したＩＣチップ記憶部２４の仮決済情報を本決済情報に更新する（ステップＳ２１４）。
【００９１】
携帯電話機４の電子通貨装置制御プログラム２３は、価値情報記憶部３１の本決済情報を非接触型ＩＣチップリーダ／ライタ８を介して読み出し、電子通貨運用機関に購入実績情報としてアップロードする。そして、電子通貨装置７のＩＣチップ制御部３０は、図６（ｃ）に示す処理完了画面を携帯電話機４の表示部５に表示する為の制御信号を非接触型ＩＣチップリーダ／ライタ８を介して携帯電話機４の携帯電話機制御部２１に送信する（ステップＳ２１５）。
【００９２】
以上が、電子通貨装置７を使用した商品自動購入処理の手順の一例である。
【００９３】
なお、上記の構成において例えば、ステップＳ２１４の処理は、自動販売装置側ＩＣチップリーダ／ライタ１５が購入商品の情報、購入場所、購入時刻等にの情報を電子通貨装置７の非接触型ＩＣチップ９に対して送信する処理を追加し、後にユーザ４３が履歴情報として携帯電話機４の表示部５で参照できる構成にしてもよい。
【００９４】
また、ステップＳ２１５の処理は、購入代金から規定された率で算出したポイント情報と、販売業者２のホームページにアクセスする為のアドレス情報とを併せて電子通貨装置７の非接触型ＩＣチップ９に送信する処理にし、蓄積ポイントでユーザ４３が商品を割引価格で購入できるようなサービスを提供する構成にしてもよい。
【００９５】
また、ステップＳ２０３からステップＳ２０５の処理においては、自動販売装置１０のモバイル購入ボタン１３、商品選択ボタン１２をユーザ４３が押下する代わりに、電子通貨装置７と自動販売装置１０の自動販売装置側ＩＣチップリーダ／ライタ１５との距離が一定以下となる状態を自動販売装置１０が自動で検出し、携帯電話機４の表示部５に携帯電話機４のボタン操作で商品を選択する図６（ｄ）に示すような操作メニューを表示する構成にしてもよい。
【００９６】
また、販売業者２の運営サイトへの通信手段を自動販売装置１０に追加し、自動販売装置制御部３６は、ステップＳ２１４の本決済処理の後に、電子通貨装置７を使用した販売情報を販売業者２のサイトにアクセスしてアップロードする処理を追加してもよい。
【００９７】
【発明の効果】
以上説明したように本発明によれば、非接触型ＩＣチップ（第１の装置）と非接触型ＩＣチップリーダ／ライタ（第２の装置）とを電子通貨装置にセットで組み込まれている構成を採用することにより、携帯電話機に装着後、簡単なボタン操作で電子通貨装置に記憶した内容を参照したり、電子通貨運営機関にアクセス可能な時間帯であれば、ＩＣチップの書き込み装置の設置場所に出向くことなく、その場で必要な金額を補充したりすることが可能となる。
【００９８】
また、非接触型のＩＣチップを具備する構成により、非接触型のＩＣチップリーダ／ライタ装置が相手側装置に装着されていれば、データ通信がケーブルレスあるいはコネクタレスで簡便行うことができ、接触型ＩＣチップに比べてリード、ライト対する耐久性が向上する。
【００９９】
また、携帯電話機を既に所有し、ＩＣカードおよびＩＣカード処理アダプタ付の携帯電話機を持たない旧機種のユーザにおいても、既存の外部接続インタフェースに接続し、必要なアプリケーションを関連サイトからダウンロード等に入手することで電子通貨による商品の購入が可能となる。
【図面の簡単な説明】
【図１】この発明に係る電子通貨装置による商品自動購入システムのシステム構成図である。
【図２】この発明に係る電子通貨装置内部における非接触型ＩＣチップのアンテナコイルと非接触型ＩＣチップリーダ／ライタのアンテナコイルの構成を模式的に示した概略図である。
【図３】この発明に係る携帯電話機、電子通貨装置、自動販売装置間の制御構成を示すブロック図である。
【図４】この発明に係る電子通貨装置へ価値情報のリチャージ処理を示すフローチャートである。
【図５】この発明に係る電子通貨装置を使用した自動販売装置からの商品購入迄の処理手順を示すフローチャートである。
【図６】図４および図５の処理中に携帯電話機の表示部に表示される画面のイメージである。
【符号の説明】
１　　電子通貨運営機関
２　　販売業者
３　　携帯電話通信網
４　　携帯電話機
５　　表示部
６　　ボタン操作部
７　　電子通貨装置
８　　非接触ＩＣチップリーダ／ライタ
９　　非接触型ＩＣチップ
１０　　自動販売装置
１１　　商品サンプル陳列部
１２　　商品選択ボタン
１３　　モバイル購入ボタン
１４　　現金投入口
１５　　自動販売装置側ＩＣチップリーダ／ライタ
１６　　商品取り出し口
１８　　電源部
１９　　通話装置部
２０　　表示制御部
２１　　携帯電話機制御部
２２　　通信制御部
２３　　電子通貨装置制御プログラム
２４　　記憶部
２５　　外部装置接続部
２６　　入力インタフェース
２７　　操作部
２８　　アンテナ
２９　　携帯電話機接続部
３０　　ＩＣチップ制御部
３１　　価値情報記憶部
３２　　暗号化／復号化部
３３　　アンテナコイル制御部
３４　　リーダ／ライタ側アンテナコイル
３５　　ＩＣチップ側アンテナコイル
１７　　操作／表示部
３６　　自動販売装置制御部
１５　　非接触型ＩＣチップリーダ／ライタ
３７　　自動販売装置側アンテナコイル
３８　　自動販売装置記憶部
３９　　商品情報
４０　　販売管理情報
４１　　サービス情報
４２　　金融機関
４３　　ユーザ
４４　　電力発生部
【図１】
2004145477.tif 000003
【図２】
2004145477.tif 000004
【図３】
2004145477.tif 000005
【図４】
2004145477.tif 000006
【図５】
2004145477.tif 000007
【図６】
2004145477.tif 000008